(57)【要約】【目的】どのバッテリィが使用可能かを確認する。【構成】ディジタル・スチル・カメラＦ６０１には，メーカ名および型番を表す識別コードが記憶されている。バッテリィ６０１および６８００Ｚ内の無線タグ１および２には，使用可能なディジタル・スチル・カメラのメーカ名，型番，アクセサリ名およびアクセサリの型番を示す識別コードが記憶されている。ディジタル・スチル・カメラＦ６０１をバッテリィ６０１または６８００Ｚに近づけられると，無線タグ１または２に記憶されている識別コードがディジタル・スチル・カメラＦ６０１に読み取られる。読み取られた識別コードと記憶されている識別コードとから，近づけたバッテリィが使用可能かどうかが判断される。使用可能であれば，ディジタル・スチル・カメラＦ６０１の表示画面１０にその旨が表示される。【選択図】　図１
2004133639.tif 000002
【特許請求の範囲】
【請求項１】
周辺装置と，この周辺装置と通信可能なデータ処理装置とを含むデータ処理システムにおいて，
上記周辺装置は，
使用可否判定用の識別コードを記憶する第１の記憶装置，および
上記データ処理装置からの送信指令に応答して，上記第１の記憶装置に記憶されている識別コードを上記データ処理装置に送信する送信手段を備え，
上記データ処理装置は，
上記識別コードを記憶する第２の記憶装置，
上記周辺装置に送信指令を与える第１の指令手段，
上記指令手段から与えられた送信指令に応答して，上記周辺装置の送信手段から送信される識別コードと上記第２の記憶装置に記憶されている識別コードとにもとづいて，上記周辺装置が上記データ処理装置に使用可能かどうかを判定する第１の判定手段，および
上記第１の判定手段により上記周辺装置が上記データ処理装置に使用可能と判定されたことに応じて使用可能の旨を報知する第１の報知手段，
を備えたデータ処理システム。
【請求項２】
上記識別コードは，上記周辺装置の機種名および上記データ処理装置の機種名の少なくとも一方である，請求項１に記載のデータ処理システム。
【請求項３】
上記データ処理装置の上記報知手段は，使用可能の旨および上記機種名を表示する表示装置である，
請求項１に記載のデータ処理システム。
【請求項４】
上記周辺装置と通信可能な携帯電話をさらに含み，
上記周辺装置の上記送信手段が，上記周辺装置の上記第１の記憶手段に記憶されている上記識別コードを上記データ処理装置に送信することに加えて，上記携帯電話に送信するものであり，
上記携帯電話が，
上記データ処理装置の上記第２の記憶装置に記憶されている上記識別コードを読み取る読み取り手段，
上記周辺装置に送信指令を与える第２の指令手段，
上記第２の指令手段から与えられた送信指令に応答して，上記周辺装置の送信手段から送信される識別コードと上記読み取り手段から読み取られた識別コードとにもとづいて，上記周辺装置が上記データ処理装置に使用可能かどうかを判定する第２の判定手段，および
上記第２の判定手段により，上記周辺装置が上記データ処理装置に使用可能と判定されたことに応じて使用可能の旨を報知する第２の報知手段，
をさらに備えた請求項１に記載のデータ処理システム。
【請求項５】
周辺装置と通信可能なデータ処理装置において，
上記周辺装置に記憶される識別コードと同じ識別コードを記憶する記憶装置，
上記周辺装置に送信指令を与える指令手段，
上記指令手段から与えられた送信指令に応答して，上記周辺装置の送信手段から送信される使用可能な処理装置を示す識別コードと上記記憶装置に記憶されている識別コードとにもとづいて，上記周辺装置が上記データ処理装置に使用可能かどうかを判定する判定手段，および
上記判定手段により，上記周辺装置が上記データ処理装置に使用可能と判定されたことに応じて使用可能の旨を報知する報知手段，
を備えたデータ処理装置。
【請求項６】
周辺装置と通信可能な携帯電話であって，
データ処理装置に記憶されている識別コードを読み取る読み取り手段，
上記周辺装置に送信指令を与える第２の指令手段，
上記第２の指令手段から与えられた送信指令に応答して，上記周辺装置から送信される識別コードと上記読み取り手段から読み取られた識別コードとにもとづいて，上記周辺装置が上記データ処理装置に使用可能かどうかを判定する判定手段，および
上記判定手段により，上記周辺装置が上記データ処理装置に使用可能と判定されたこに応じて使用可能の旨を報知する報知手段，
を備えた携帯電話。
【請求項７】
周辺装置と通信可能なデータ処理装置において，
上記周辺装置に記憶される識別コードと同じ識別コードを記憶し，
上記周辺装置に送信指令を与え，
与えられた送信指令に応答して，上記周辺装置から送信される使用可能な処理装置を示す識別コードと上記記憶装置に記憶されている識別コードとにもとづいて，上記周辺装置が上記データ処理装置に使用可能かどうかを判定し，
上記周辺装置が上記データ処理装置に使用可能と判定されたことに応じて使用可能の旨を報知する，
データ処理装置の制御方法。
【請求項８】
周辺装置と通信可能な携帯電話であって，
データ処理装置に記憶されている識別コードを読み取り，
上記周辺装置に送信指令を与え，
与えられた送信指令に応答して，上記周辺装置から送信される識別コードと読み取られた識別コードとにもとづいて，上記周辺装置が上記データ処理装置に使用可能かどうかを判定し，
上記周辺装置が上記データ処理装置に使用可能と判定されたこに応じて使用可能の旨を報知する，
携帯電話の制御方法。
【発明の詳細な説明】
【０００１】
【技術分野】
この発明は，データ処理システムおよびデータ処理システムを構成するデータ処理装置および携帯電話ならびにそれらの制御方法に関する。
【０００２】
【発明の背景】
パーソナル・コンピュータ，ディジタル・スチル・カメラ，ディジタル・ムービ・ビデオ・カメラ等のデータ処理装置には，多数の周辺装置を使用することができる。しかしながら，データ処理装置のメーカや種類によっては，使用できる周辺装置が限られている。ユーザは，周辺装置を購入する場合には，購入対象の周辺装置が，自分が所有しているデータ処理装置に使用できるかどうかをあらかじめ確認しておかなければならないことが多い。しかしながら，この確認は煩雑であり，確認を忘れて店舗に行ってしまうこともある。
【０００３】
パーソナル・コンピュータと商品タグが付けられた商品とから商品を管理することはすでに考えられている（例えば，特許文献１）。しかしながら，周辺装置を管理することについては考えられていない。
【０００４】
【特許文献１】
特開２００１−２４９９８７号公報
【０００５】
【発明の開示】
この発明は，使用可能な周辺装置が分かるようにすることを目的とする。
【０００６】
この発明は，周辺装置と，この周辺装置と通信可能なデータ処理装置とを含むデータ処理システムについてのものである。
【０００７】
上記周辺装置は，使用可否判定用の識別コードを記憶する第１の記憶装置，および上記データ処理装置からの送信指令に応答して，上記第１の記憶装置に記憶されている識別コードを上記データ処理装置に送信する送信手段を備えている。
【０００８】
上記データ処理装置は，上記識別コードを記憶する第２の記憶装置，上記周辺装置に送信指令を与える第１の指令手段，上記指令手段から与えられた送信指令に応答して，上記周辺装置の送信手段から送信される識別コードと上記第２の記憶装置に記憶されている識別コードとにもとづいて，上記周辺装置が上記データ処理装置に使用可能かどうかを判定する第１の判定手段，および上記第１の判定手段により上記周辺装置が上記データ処理装置に使用可能と判定されたことに応じて使用可能の旨を報知する第１の報知手段を備えている。
【０００９】
この発明によると，上記周辺装置の第１の記憶装置には，使用可否判定用の識別コードが記憶され，上記データ処理装置にも識別コードが記憶される。
【００１０】
上記データ処理装置から上記周辺装置に送信指令が与えられる。すると，上記周辺装置において，上記処理装置からの送信指令に応答して記憶装置に記憶されている識別コードが上記処理装置に送信される。
【００１１】
上記データ処理装置において，上記周辺装置から送信された識別コードと，上記データ処理装置に記憶されている識別コードとにもとづいて上記周辺装置が上記処理装置に使用可能かどうかが判断される。使用可能と判断されたことに応じて，使用可能の旨が報知される。ユーザは，使用可能の報知を認識することにより，周辺装置が処理装置に使用可能であることを知る。あらかじめカタログなどにより確認しなくても，処理装置を周辺装置と通信可能な場所に持っていくことにより，使用可能かどうかを確認することができる。
【００１２】
上記識別コードは，たとえば，上記周辺装置の機種名および上記データ処理装置の機種名の少なくとも一方である。
【００１３】
上記データ処理装置の上記報知手段は，たとえば，使用可能の旨および上記機種名を表示する表示装置である。
【００１４】
上記データ処理システムに，上記周辺装置と通信可能な携帯電話をさらに含ませてもよい。この場合，上記周辺装置の上記送信手段が，上記周辺装置の上記第１の記憶手段に記憶されている上記識別コードを上記データ処理装置に送信することに加えて，上記携帯電話に送信するものとなろう。
【００１５】
上記携帯電話は，上記データ処理装置の上記第２の記憶装置に記憶されている上記識別コードを読み取る読み取り手段，上記周辺装置に送信指令を与える第２の指令手段，上記第２の指令手段から与えられた送信指令に応答して，上記周辺装置の送信手段から送信される識別コードと上記読み取り手段から読み取られた識別コードとにもとづいて，上記周辺装置が上記データ処理装置に使用可能かどうかを判定する第２の判定手段，および上記第２の判定手段により，上記周辺装置が上記データ処理装置に使用可能と判定されたことに応じて使用可能の旨を報知する第２の報知手段備えている。
【００１６】
上記データ処理装置に記憶されている識別コードが上記携帯電話において読み取られる。また，上記携帯電話から上記周辺装置に送信指令が与えられ，上記周辺装置に記憶されている識別コードが上記携帯電話に送信される。すると，上記周辺装置から送信された識別コードと上記データ処理装置から読み取られた識別コードとから上記周辺装置が上記データ処理装置に使用可能かどうかが判定される。使用可能と判定されると，使用可能の旨が報知される。
【００１７】
上記データ処理装置が無くても，携帯電話を用いて，周辺装置がデータ処理装置に使用できるかどうかを確認することができる。
【００１８】
【実施例の説明】
図１は，この発明の実施例を示すもので，アクセサリ管理システムの概要を示している。
【００１９】
ディジタル・スチル・カメラ用の周辺装置は，多種多様あるが，すべての周辺装置がすべてのディジタル・スチル・カメラにおいても使用できるというわけではない。ディジタル・スチル・カメラのメーカによって使用できる周辺装置が異なるし，ディジタル・スチル・カメラの機種によっても使用できる周辺装置が異なる。この実施例においては，ディジタル・スチル・カメラ（データ処理装置）Ｆ６０１に使用可能なバッテリィ（周辺装置：バッテリィに限らず他のアクセサリでもよいのはいうまでもない）を見つけるものである。
【００２０】
ディジタル・スチル・カメラＦ６０１には，表示画面１０が形成されている。ディジタル・スチル・カメラＦ６０１には，カメラのメーカ，および機種を表す識別コードが記憶されている。
【００２１】
バッテリィ６０１とバッテリィ６８００Ｚとが図示されている。バッテリィ６０１には無線タグ１が，バッテリィ６８００Ｚには無線タグ２がそれぞれ内蔵されている。それぞれの無線タグ１および２には，それぞれのバッテリィ６０１または６８００Ｚが使用可能なディジタル・スチル・カメラのメーカ，機種名等を表す識別コードが記憶されている。
【００２２】
バッテリィ６０１の無線タグ１に記憶されている識別コード，バッテリィ６８００Ｚの無線タグ２に記憶されている識別コード，ディジタル・スチル・カメラＦ６０１に記憶されている識別コードからディジタル・スチル・カメラＦ６０１に使用可能なバッテリィが検出される。使用可能なバッテリィの名称（アクセサリ名）および型番がディジタル・スチル・カメラＦ６０１の表示画面１０に表示される。より詳しくは，以下の説明によって明らかとなろう。
【００２３】
図２は，ディジタル・スチル・カメラＦ６０１の電気的構成を示すブロック図である。
【００２４】
ディジタル・スチル・カメラＦ６０１の全体の動作は，制御回路１８によって統括される。
【００２５】
ディジタル・スチル・カメラＦ６０１には，適合アクセサリ検索モード，撮像モードその他のモードを設定するモード設定スイッチ２０が含まれている。モード設定スイッチ２０から出力された信号は，制御回路１８に入力する。
【００２６】
制御回路１８には，バッテリィ６０１および６８００Ｚに内蔵されている無線タグ１および２に格納されている識別コードを読み取るための無線タグ・リーダ１９が接続されている。さらに，制御回路１８には，シリアル通信インターフェイス２１が接続されている。
【００２７】
さらに，制御回路１８には，識別コードその他のデータを記憶するメモリ１６が接続されている。
【００２８】
モード設定スイッチ２０により撮像モードが設定されると，撮像装置１１により被写体が撮像される。撮像装置１１から被写体像を表す映像信号が出力され，画像処理回路１３に入力する画像処理回路１３において，アナログ／ディジタル変換，ガンマ補正，白バランス調整などの所定の画像処理が行われる。画像処理回路１３から出力された画像データは，表示装置１７に与えられ，表示される。
【００２９】
シャッタ・レリーズ・ボタン（図示略）が押されると，上述のように画像処理回路１３において画像処理された画像データは，記憶制御回路１４によってメモリ・カード１５に記録される。
【００３０】
図３は，バッテリィ６０１の無線タグ１に記憶されている識別コードの一例である。
【００３１】
バッテリィ６０１の無線タグ１に記憶されている識別コードは，バッテリィ６０１が使用可能なディジタル・スチル・カメラの適合メーカ（ＦＦ），適合機種（Ｆ６０１），アクセサリ名（バッテリィ６０１）およびアクセサリ型番（ＢＡＴ１１）である。
【００３２】
無線タグ１に記憶されている識別コードから，バッテリィ６０１を使用できるディジタル・スチル・カメラは，メーカＦＦの機種Ｆ６０１であることが分かる。
【００３３】
図４は，ディジタル・スチル・カメラＦ６０１に記憶されている識別コードの一例である。
【００３４】
ディジタル・スチル・カメラＦ６０１に記憶されている識別コードには，ディジタル・スチル・カメラＦ６０１のメーカ（ＦＦ）および機種（Ｆ６０１）がある。これらの識別コードは，メモリ１６に記憶されている。
【００３５】
図５は，バッテリィとディジタル・スチル・カメラＦ６０１との処理手順を示すフローチャートである。図６は，ディジタル・スチル・カメラＦ６０１の表示画面１０に表示される画像の一例である。
【００３６】
バッテリィ６０１および６８００Ｚは，電気店などの店舗に陳列されている。バッテリィ６０１，６８００Ｚ等を使用することができるかどうかを確認するディジタル・スチル・カメラＦ６０１は，ユーザが自宅から持参する。もっとも，店舗にそのディジタル・スチル・カメラＦ６０１と同一の機種のカメラがあれば，店舗から借りて確認するようにしてもよい。
【００３７】
ディジタル・スチル・カメラＦ６０１のモード設定スイッチ２０により適合検索モードが設定されると，識別コード送信指令が無線タグ・リーダ１９から出力される（ステップ４１）。
【００３８】
ディジタル・スチル・カメラＦ６０１が，使用できるかどうかを確認したいバッテリィ６０１または６８００Ｚに近づけられ，識別コード送信指令の出力範囲内に入ると，出力範囲内にあるバッテリィ６０１または６８００Ｚの無線タグ１または２からディジタル・スチル・カメラＦ６０１に識別コードが送信される（ステップ３１）。
【００３９】
バッテリィ６０１または６８００Ｚから送信された識別コードがディジタル・スチル・カメラＦ６０１において受信されると（ステップ４２でＹＥＳ），ディジタル・スチル・カメラＦ６０１のメモリ１６に記憶されている識別コード（図４参照）が読み出される（ステップ４３）。メモリ１６から読み出された識別コードに含まれるメーカ名および機種名と，受信した識別コードに含まれる適合メーカ名および適合機種名とが一致すれば，バッテリィ６０１または６８００Ｚのうち，ディジタル・スチル・カメラＦ６０１を上述のように近づけたバッテリィが使用可能なバッテリィと判断される（ステップ４４）。
【００４０】
使用可能なバッテリィと判断されると，図６に示すように，バッテリィから送信された識別コードに含まれるアクセサリ名および型番がディジタル・スチル・カメラＦ６０１の表示画面１０上に表示される（ステップ４５）。表示画面１０には，アクセサリ名および型番の他，適合アクセサリ検索モードであることおよび使用できることの表示が行われる。
【００４１】
ユーザは，ディジタル・スチル・カメラＦ６０１の表示画面１０の表示を見ることにより，どのアクセサリが使用できるかをカタログを調べることなく確認することができる。
【００４２】
図７から図９は，他の実施例を示すものである。
【００４３】
図７は，アクセサリ管理システムの概要を示している。図７において，図１と同じ物には同一符号を付して説明を省略する。
【００４４】
この実施例おいては，ディジタル・スチル・カメラＦ６０１に使用可能なバッテリィを見つけるときに，さらに携帯電話５０が使用される。ディジタル・スチル・カメラＦ６０１と携帯電話５０とがシリアル・ケーブル５により接続される。ディジタル・スチル・カメラＦ６０１に記憶されている識別コードが携帯電話５０に読み取られる。読み取られた識別コードを利用して携帯電話５０を用いて，ディジタル・スチル・カメラＦ６０１に使用可能なバッテリィが見つけられる。
【００４５】
携帯電話５０の前面上部には，上述したようにディジタル・スチル・カメラＦ６０１に使用可能かどうか等を表示する表示画面５１が形成されている。表示画面５１の下には，テン・キーパッドなどの操作キー５２が形成されている。
【００４６】
図８は，携帯電話５０の電気的構成を示すブロック図である。
【００４７】
携帯電話５０の全体の動作は，制御回路５５により統括される。
【００４８】
制御回路５５には，無線タグ・リーダ５８が接続されている。上述した表示画面５１を有する表示装置５６および操作キー５２も制御回路５５に接続されている。
【００４９】
また，制御回路５５には，シリアル・ケーブル５が接続されるシリアル通信インターフェイス５７が接続されている。さらに，制御回路５５には後述するように，ディジタル・スチル・カメラ１０のメモリ１６に記憶されている識別コードその他のデータを記憶する記憶回路５９が接続されている。
【００５０】
さらに，制御回路５５には，アンテナ５３が接続されている無線回路５４が接続されている。マイクロフォン（図示略）から入力した音声は，音声データに変換されて，無線回路５４を介してアンテナ５３に与えられる。アンテナ５３から他の携帯電話等に送信される。また，アンテナ５３によって受信された音声データは，無線回路５４を介して制御回路５５に入力し，スピーカ（図示略）に与えられる。スピーカにから音声が出力される。
【００５１】
図９は，携帯電話５０とディジタル・スチル・カメラは６０１との間の処理手順を示すフローチャートである。
【００５２】
シリアル・ケーブル５により，携帯電話５０とディジタル・スチル・カメラ１０とが接続される（ステップ６１，７１）。
【００５３】
携帯電話５０の操作キー５２によりカメラ情報読み取りモードに設定される（ステップ６２）。すると，携帯電話５０からディジタル・スチル・カメラ１０にカメラ情報読み取り指令が与えられる（ステップ６３）。
【００５４】
携帯電話５０からのカメラ情報読み取り指令がディジタル・スチル・カメラＦ６０１において受信されると，ディジタル・スチル・カメラＦ６０１のメモリ１６に記憶されている識別コードが読み取られる。読み取られた識別コードがディジタル・スチル・カメラＦ６０１から携帯電話５０に送信される（ステップ７２）。
【００５５】
ディジタル・スチル・カメラＦ６０１から送信された識別コードが携帯電話５０において受信されると，その受信された識別コードが携帯電話の記憶回路５９に記憶される（ステップ６４）。
【００５６】
携帯電話５０にディジタル・スチル・カメラＦ６０１の識別コードが記憶されると，バッテリィ６０１または６８００Ｚに携帯電話５０が近づけられる。上述したのと同様に，携帯電話５０の無線タグ・リーダ５９によってバッテリィ６０１または６８００Ｚの無線タグ１または２に記憶されている識別コードが読み取られる。読み取られた識別コードと携帯電話５０に記憶されている識別コードとから，バッテリィ６０１または６８００Ｚがディジタル・スチル・カメラＦ６０１に使用可能かどうかが判断される。使用可能なバッテリィであれば，そのメーカ名，型番等が携帯電話５０の表示画面５１上に表示される。
【００５７】
ディジタル・スチル・カメラＦ６０１を持ち運ばなくても携帯電話５０を利用して，ディジタル・スチル・カメラＦ６０１に使用可能なバッテリィが分かる。
【００５８】
上述した識別コードにおいては，メーカ名，型番などが利用されているが，ディジタル・スチル・カメラＦ６０１と，ディジタル・スチル・カメラＦ６０１に使用可能なバッテリィとに，ディジタル・スチル・カメラＦ６０１用のバッテリィであることが分かるようなデータが記憶されていればよい。
【図面の簡単な説明】
【図１】アクセサリ管理システムの概要を示している。
【図２】ディジタル・スチル・カメラの電気的構成を示すブロック図である。
【図３】バッテリィに記憶されている識別コートの一例である。
【図４】ディジタル・スチル・カメラに記憶されている識別コードの一例である。
【図５】バッテリィとディジタル・スチル・カメラの処理手順を示すフローチャートである。
【図６】ディジタル・スチル・カメラの表示画面に表示される画像の一例である。
【図７】他の実施例を示すもので，アクセサリ管理システムの概要を示している。
【図８】携帯電話の電気的構成を示すブロック図である。
【図９】携帯電話とディジタル・スチル・カメラとの処理手順を示すフローチャートである。
【符号の説明】
１，２　無線タグ
１０，５１　表示画面
１９，５８　無線タグ・リーダ
５０　携帯電話
６０１，６８００Ｚ　　バッテリィ（周辺装置）
Ｆ６０１　　ディジタル・スチル・カメラ
【図１】
2004133639.tif 000003
【図２】
2004133639.tif 000004
【図３】
2004133639.tif 000005
【図４】
2004133639.tif 000006
【図５】
2004133639.tif 000007
【図６】
2004133639.tif 000008
【図７】
2004133639.tif 000009
【図８】
2004133639.tif 000010
【図９】
2004133639.tif 000011